(57)【要約】  関節を介して第１骨と第２骨とを共に固定するためのシステムは、長手軸心と第１および第２端部とを備える本体を含む固定プレートを有する。前記第１端部近傍にはロックネジ穴が配設されている。前記本体には単数又は複数の取り付けネジ穴が配設されている。前記システムは、その第１および第２端部に開口部を備えるとともに第１端部に先端部、前記第２端部にヘッド、を備える長手中空体として構成されたネジを有する。
2015503944.tif 000002
【特許請求の範囲】
【請求項１】
長手軸心と第１および第２端部とを備える本体を有する固定プレートであって、当該本体は、骨の上に載置されかつ関節の片側に完全に位置するように構成され、当該本体は、前記第１端部の近傍に配設されたロックネジ穴を備え、前記ロックネジ穴を通る中央軸心が前記長手軸心に対して２０〜５０度の角度で配向され、前記本体は少なくとも１つの取り付けネジ穴を備える、固定プレート。
【請求項２】
更に、前記取り付けネジ穴にロック可能に係合するべく当該取り付けネジ穴を通って挿入されるように構成されたロック取り付けネジを有する、請求項１に記載の固定プレート。
【請求項３】
前記ロックネジ穴の内面は、上方皿穴とネジ部とを有し、前記ネジ部は二重螺旋ネジ山を有する、請求項１に記載の固定プレート。
【請求項４】
前記ネジ部はネジにロック可能に係合するように構成されている、請求項３に記載の固定プレート。
【請求項５】
前記ネジ部はネジにロック可能に係合する時に変形するように構成されている、請求項３に記載の固定プレート。
【請求項６】
前記本体は、上側と下側とを有し、前記下側の一部分は骨の断面部分の内に載置されるように構成されている、請求項１に記載の固定プレート。
【請求項７】
第１および第２骨を関節を介して固定するための固定プレートであって、
前記固定プレートは、長手軸心と第１および第２端部とを備えるとともに前記第１骨上で前記関節の片側に配置される本体を有し、前記第１端部の近傍の前記本体の一部分はその上に載置された時に前記第１骨の輪郭にマッチするように輪郭形成され、前記本体は、前記第１端部の近傍に配設されたロックネジ穴を有し、当該ロックネジ穴の内面は上方皿穴と、下方皿穴と、これら上方および下方皿穴の間のネジ部とを備え、前記ネジ部は二重螺旋ネジ山を有し、前記ロックネジ穴を通る中央軸心は前記長手軸心に対して２０〜５０度の角度で配向され、前記本体は少なくとも１つの取り付けネジ穴を有する、固定プレート。
【請求項８】
前記第２骨は、前記長手軸心に対して２０〜５０度の角度で位置している、請求項７に記載の固定プレート。
【請求項９】
ネジであって、以下を有する、
第１および第２端部に開口部を有するとともに、前記第１端部に先端部を有し、前記第２端部にヘッド部を有する長手中空本体と、
前記先端部から当該先端部の近傍に延出し、第１ピッチを有する第１ネジ山と、
前記ヘッド部の近傍に配設されるとともに、前記第１ピッチと異なる第２ピッチを有する第２ネジ山と、
前記ヘッド部上に配設されるとともに第３ピッチを有するロックネジ山と
を含む、ネジ。
【請求項１０】
前記長手中空本体は、前記第１ネジ山と前記第２ネジ山との間の平滑なシャンク部を有する、請求項９に記載のネジ。
【請求項１１】
前記ロックネジ山と前記第２ネジ山とは分離されている、請求項９に記載のネジ。
【請求項１２】
前記ロックネジ山と前記第２ネジ山とは接続されている、請求項９に記載のネジ。
【請求項１３】
更に、前記先端部の近傍で切断溝を形成する凹部領域を有する、請求項９に記載のネジ。
【請求項１４】
更に、前記ヘッド部の近傍で切断溝を形成する凹部領域を有する、請求項９に記載のネジ。
【請求項１５】
関節を介して第１骨と第２骨とを固定するネジであって、前記ネジは
第１および第２端部に開口部を有するとともに、前記第１端部に先端部を有し、前記第２端部にヘッド部を有する長手中空本体と、
前記先端部近傍から当該先端部から近位側に延出し、第１ピッチを有する第１ネジ山と、
前記ヘッド部の近傍に配設され当該ヘッド部から遠位側に延出するとともに、前記第１ピッチと異なる第２ピッチを有する第２ネジ山と、
前記ヘッド部上に配設されるとともに第３ピッチを有するロックネジ山と
を含み、
ここで、前記ネジは、前記第１骨から前記関節を介して前記第２骨内へと延出して、前記第２骨を前記第１骨に対して２０〜５０度の角度で固定するように構成されている、ネジ。
【請求項１６】
前記長手中空本体は、前記第１ネジ山と前記第２ネジ山との間の平滑なシャンク部を有する、請求項１５に記載のネジ。
【請求項１７】
前記ロックネジ山と前記第２ネジ山とは分離されている、請求項１５に記載のネジ。
【請求項１８】
前記ロックネジ山と前記第２ネジ山とは接続されている、請求項１５に記載のネジ。
【請求項１９】
更に、前記先端部の近傍で切断溝を形成する凹部領域を有する、請求項１５に記載のネジ。
【請求項２０】
更に、前記ヘッド部の近傍で切断溝を形成する凹部領域を有する、請求項１５に記載のネジ。
【請求項２１】
関節を介して第１骨と第２骨とを固定するためのシステムであって、前記システムは、
本体を備える固定プレートであって、当該本体は長手軸心と第１および第２端部とを備え、前記本体は骨の上に載置されかつ関節の片側に位置するように構成されており、前記本体は前記第１端部の近傍に配設されたロックネジ穴を有し、当該ロックネジ穴を通る中央軸心は前記長手軸心に対して２０〜５０度の角度で配向され、前記本体は少なくとも１つの取り付けネジ穴を有する固定プレートと、
長手中空本体を有するネジであって、前記本体は、第１および第２端部に開口部を有するとともに、前記第１端部に先端部を有し、前記第２端部にヘッド部を有する、前記本体は前記関節を介して前記第１骨を通って前記第２骨内へと延出するように構成され、前記ヘッド部は前記ロックネジ穴に当接するように構成されているネジと
を含み、
前記ネジは、
前記先端部から当該先端部の近位側に延出し、第１ピッチを有第１ネジ山と、
前記ヘッド部の近傍に配設されるとともに当該ヘッド部から遠位側に延出するとともに前記第１ピッチと異なる第２ピッチを有する第２ネジ山と、
前記ヘッド部上に配設されるとともに第３ピッチを有し、前記ロックネジ穴に係合するように構成されているロックネジ山と
を有する、システム。
【請求項２２】
前記長手中空本体は、前記第１ネジ山と前記第２ネジ山との間の平滑なシャンク部を有する、請求項２１に記載のシステム。
【請求項２３】
前記固定プレートは、前記第１端部の近傍において前記第１骨の断面部分の輪郭にマッチするように輪郭形成されている、請求項２１に記載のシステム。
【請求項２４】
前記ネジは、前記先端部の近傍で切断溝を形成する凹部領域を有する、請求項２１に記載のシステム。
【請求項２５】
前記ネジは、前記ヘッド部の近傍で切断溝を形成する凹部領域を有する、請求項２１に記載のシステム。
【請求項２６】
前記中央軸心は前記ネジの曲線（ｔｒａｊｅｃｔｏｒｙ）を形成する、請求項２１に記載のシステム。
【請求項２７】
前記第２骨は、前記長手軸心に対して２０〜５０度の角度で位置している、請求項２１に記載のシステム。
【請求項２８】
前記取り付けネジ穴は、ロック取り付けネジにロック可能に係合するようにネジ山形成されている、請求項２１に記載のシステム。
【請求項２９】
前記ロックネジ穴の内面は、上方皿穴とネジ部とを有し、前記ネジ部は二重螺旋構成に配置された一対のネジ山を有する、請求項２１に記載のシステム。
【請求項３０】
前記第１ネジ山は前記第２ネジ山よりも大きなピッチを有する、請求項２１に記載のシステム。
【請求項３１】
前記ロックネジ山と前記第２ネジ山は分離されている、請求項２１に記載のシステム。
【請求項３２】
前記ロックネジ山と前記第２ネジ山は接続されている、請求項２１に記載のシステム。
【請求項３３】
前記ネジ穴は、前記第１角度から約０度〜約１８度のオフセット角度での前記ネジとのネジ係合を許容する、請求項２９に記載のシステム。
【請求項３４】
関節を介して第１骨と第２骨とを固定するためのシステムであって、前記システムは、
前記第１骨上に載置されかつ前記関節の片側に位置するように構成された固定プレートであって、当該固定プレートは、長手軸心と第１および第２端部とを備える本体を有し、当該本体は前記第１端部の近傍に配設されたロックネジ穴を有し、当該ロックネジ穴の内面は、上方皿穴と下方皿穴とこれら上方および下方皿穴の間のネジ部とを備え、前記ネジ部は二重螺旋ネジ山を有し、前記ロックネジ穴を通る中央軸心は前記長手軸心に対して２０〜５０度の角度で配向され、前記本体は少なくとも１つの取り付けネジ穴を有する固定プレートと、
ネジとを含み、
当該ネジは、第１および第２端部に開口部を有するとともに、前記第１端部に先端部を有し、前記第２端部にヘッド部を有する長手中空本体であって、前記本体は前記関節を介して前記第１骨を通って前記第２骨内へと延出するように構成され、前記ヘッド部は前記ロックネジ穴に当接するように構成されている長手中空本体と、
前記先端部から当該先端部の近位側に延出し、第１ピッチを有する第１ネジ山と、
前記ヘッド部の近傍に配設されるとともに当該ヘッド部から遠位側に延出するとともに、前記第１ピッチと異なる第２ピッチを有する第２ネジ山と、
前記ヘッド部上に配設されるとともに第３ピッチを有するロックネジ山であって、当該ロックネジ山は、前記ネジが前記ロックネジ穴に挿入された時に、前記ロックネジ穴上の前記二重螺旋ネジ山に係合するように構成されているロックネジ山と
を有し、
ここで、前記第２骨は前記長手軸心に対して２０〜５０度の角度で位置する、システム。
【請求項３５】
前記第１ネジ山は前記第２ネジ山よりも大きなピッチを有する、請求項３４に記載のシステム。
【請求項３６】
前記ロックネジ山と前記第２ネジ山とは分離されている、請求項３４に記載のシステム。
【請求項３７】
前記ロックネジ山と前記第２ネジ山とは接続されている、請求項３４に記載のシステム。
【請求項３８】
前記二重螺旋ネジ山は前記ネジにロック可能に係合する時に変形するように構成されている、請求項３４に記載のシステム。
【請求項３９】
更に、前記ネジの前記先端部の近傍で切断溝を形成する凹部領域を有する、請求項３４に記載のシステム。
【請求項４０】
更に、前記ネジの前記ヘッド部の近傍で切断溝を形成する凹部領域を有する、請求項３４に記載のシステム。
【請求項４１】
ヘッド部に接続された本体を有する固定プレートであって、当該本体は軸心と後端部とを有し、前記ヘッド部は前記軸心に対して２０〜５０度の角度に向けられたロックネジ穴を有し、前記本体は少なくとも２列に配置された複数の取り付けネジ穴を有する、固定プレート。
【請求項４２】
第１列の取り付けネジ穴が前記軸心の第１側に配置され、第２列の取り付けネジ穴は前記軸心の第２側に配置されている、請求項４１に記載の固定プレート。
【請求項４３】
前記取り付けネジ穴は各ロック取り付けネジにロック可能に係合するように構成されている、請求項４１に記載の固定プレート。
【請求項４４】
更に、一対の取り付けネジ穴を前記軸心を介して接続する少なくとも１つのブリッジを有する、請求項４１に記載の固定プレート。
【請求項４５】
前記ロックネジ穴の内面は、上方皿穴とネジ部とを有し、前記ネジ部は二重螺旋ネジ山を有する、請求項４１に記載の固定プレート。
【請求項４６】
前記ネジ部はネジにロック可能に係合するように構成されている、請求項４１に記載の固定プレート。
【請求項４７】
前記ネジ部はネジにロック可能に係合する時に変形するように構成されている、請求項４１に記載の固定プレート。
【請求項４８】
前記プレートは骨の上に載置されるとともに関節の片側に位置するように構成されている、請求項４１に記載の固定プレート。
【請求項４９】
固定プレートであって、前記固定プレートは
ヘッド部に接続された本体であって、当該本体は軸心と後端部とを有し、前記ヘッド部は前記軸心に対して２０〜５０度の角度に向けられたロックネジ穴を有し、前記本体は２列に配置された複数の取り付けネジ穴を有する本体と、
一対の前記取り付けネジ穴を前記軸心を介して接続する少なくとも１つのブリッジと
を含み、
ここで、前記固定プレートは骨の上に載置されるとともに関節の片側に位置するように構成されている、固定プレート。
【請求項５０】
第１列の取り付けネジ穴が前記軸心の第１側に配置され、第２列の取り付けネジ穴は前記軸心の第２側に配置されている、請求項４９に記載の固定プレート。
【請求項５１】
前記取り付けネジ穴は各ロック取り付けネジにロック可能に係合するように構成されている、請求項４９に記載の固定プレート。
【請求項５２】
前記ロックネジ穴の内面は上方皿穴とネジ部とを有し、前記ネジ部は二重螺旋ネジ山を有する、請求項４９に記載の固定プレート。
【請求項５３】
前記ネジ部はネジにロック可能に係合するように構成されている、請求項４９に記載の固定プレート。
【発明の詳細な説明】
【技術分野】
【０００１】
本発明は、一般に、整形外科インプラント、より詳しくは、ヒトの手の関節を介して骨を固定するためのプレート及びカニューレ貫通固定ネジシステム、に関する。
【背景技術】
【０００２】
骨折した骨は、多くの場合、融合（ｆｕｓｉｏｎ）を達成するべく骨の破片を互いに保持することによって修復される。又、慢性自己免疫疾患である、リューマチは、しばしば関節の破壊を引き起こし、それによって、関節を介した骨の融合による復元が必要となる。ヒトの指では、三つの骨が、指骨間（ＩＰ）関節と呼ばれる二つの関節によって互いに分離されている。指の端部近くの関節は遠位指骨間（ＤＩＰ）関節と呼ばれ、手のひらの近くの関節は近位指骨間（ＰＩＰ）関節と呼ばれる。もしも、たとえば、ＤＩＰ関節又はＰＩＰ関節を介する骨が骨折した場合には、その骨の破片を、キルシュナワイヤ（Ｋ−ｗｉｒｅ）やテンションバンドワイヤ、あるいは圧縮ネジ等のインプラント装置によって互いに保持することができる。Ｋ−ｗｉｒｅは骨破片を安定化するために使用される細くて硬いワイヤである。Ｋ−ｗｉｒｅは骨と関節とを貫通してドリルして破片を定位置に保持することができる。Ｋ−ｗｉｒｅのひとつの欠点は、それが一般的に構造的な剛性に欠けることにある。その結果、Ｋ−ｗｉｒｅによって関節を介して融合された骨は、しばしば、必要な程度の融合を達成しない。より重要なこととして、Ｋ−ｗｉｒｅは一般に、関節を介して骨を、汎用性と改善された使用を提供する配置で、互いに融合することを可能にするものではない。
【０００３】
テンションバンドワイヤは、骨破片を互いに圧縮、保持するためにテンション力を利用する。テンションバンドワイヤは、構造的な剛性に欠けるため、それは、関節を介して骨を、汎用性と改善された使用を提供する配置で、互いに融合することを可能にするものではない。
【０００４】
圧縮ネジは、必要程度の融合を提供するものではあるが、それらは通常、関節を介して骨を融合可能な角度を制限する。例えば、指のＰＩＰ関節を介して骨は、生活の質の改善のためには、２０〜５０度の角度で融合されなければならない。所望の範囲内で骨を融合するためには、圧縮ネジを、骨の軸を貫通して配置しなければならないが、それによって、ネジが背面を破って出る可能性がある。固定プレートは、通常、関節を介して骨の上に載置され、その後、該プレートは複数の取り付けネジによって骨に固定される。既存の固定プレート及びネジシステムは、一般に、必要な程度の融合を達成するものではあるが、これらのシステムは、通常、関節を介して骨を、生活の質の改善を提供する配置で、互いに融合することを可能にするものではない。
【発明の概要】
【発明が解決しようとする課題】
【０００５】
本発明の実施例は、関節を介して骨を機能角度で融合させることを可能にするとともに、十分な程度の融合を提供しつつ使用の質の改善をもたらすシステムと方法を提供する。
【課題を解決するための手段】
【０００６】
実施例は長手中空体を備える貫通固定ネジを含むことができ、これはプレートのロックネジ穴を通して挿入され、関節を介して第１骨を通って第２骨内へと延出するように構成されている。又、実施例は、特定の関節のために理想的な角度を許容する、ロックネジ穴を備える固定プレートを含むことができる。
【０００７】
一実施例において、ネジは、第１および第２端部に開口部を備えるとともに、前記第１端部に先端部、そして前記第２端部にヘッド部を備える長手中空本体を有する。当該本体は、関節を介して第1骨を通って第2骨内へと延出するように構成されている。第１ネジ山が前記先端部から、この先端部の近傍に延出している。当該第１ネジ山は第１ピッチを有する。第２ネジ山が前記ヘッド部の近傍に配設され、当該ヘッド部から遠位側に延出している。前記第２ネジ山は第２ピッチを有する。前記第２ネジ山は、好ましくは、前記本体のネジ山無し部分によって、前記第１ネジ山から分離されている。前記第２ネジ山の近傍で前記ヘッド部上にロックネジ山が配設されている。このロックネジ山は第３ピッチを有する。
【０００８】
別実施例において、固定プレートは、長手軸心と第１および第２端部とを備える本体を有する。前記プレートは、前記第１端部の近傍にロックネジ開口部を備える。前記開口部は、上方皿穴と該上方皿穴の下方のネジ部とを備える内面を有する。前記ネジ部は、前記ネジに係合するように構成された二重螺旋ネジ山を有する。前記開口部は、前記本体の前記長手軸心に対して２０〜５０度の角度に向けられた中央軸心を有する。追加の取り付けネジを収納するために前記本体内には、単数又は複数の追加の開口部が配設されている。
【０００９】
本発明の更に別の実施例において、システムは、前記固定プレートと、融合するべき貫通固定する前記ネジとを有する。前記固定プレートは、関節に近接する第１骨上に載置されるように構成されている。前記固定プレートは、前記第１端部の近傍において前記第１骨の輪郭にマッチするように輪郭形成することができる。前記ネジは、第１切断溝を形成する前記先端部近傍の第１凹部領域と、第２切断溝を形成する前記ヘッド部近傍の第２凹部領域とを有する。第１ネジ山は第２ネジ山と異なるピッチを有する。前記ロックネジ山は前記第２ネジ山とは互いに分離してもよいし、接続してもよい。
【００１０】
以上は、下記の本発明の詳細説明をよく理解できるように、本発明の特徴および技術的利点についてのかなりおおざっぱな説明である。請求項の課題を構成する本発明のその他の特徴および利点について以下説明する。当業者は、ここに開示される概念および特定の実施例を、本発明の同じ目的を達成するための他の構造を改変又は設計するための基礎として利用可能である、ということを理解するであろう。又、当業者は、そのような均等構造が添付の請求項に記載の本発明の要旨および範囲から逸脱するものでないことも理解するであろう。その構成と作動方法に関して、本発明を特徴付けるものとして理解される新規な特徴と、その他の課題と利点とは、添付の図面との関連において考慮される下記の説明からよりよく理解されるであろう。但し、これら図面のそれぞれは、もっぱら例示と記載のために提供されるものであって、本発明の限定の定義として意図されるものではない、と理解される。
【図面の簡単な説明】
【００１１】
【図１Ａ】本発明の固定プレートの平面図を示している。
【図１Ｂ】図１Ａの固定プレートの側面図を示している。
【図２】本発明のロックネジのネジ山の拡大図を示している。
【図３Ａ】カニューレ貫通固定ネジの側面図である。
【図３Ｂ】カニューレ貫通固定ネジの側方断面図である。
【図４】関節を介して骨を固定するために使用される、固定プレートとネジとを図示している。
【図５】本発明の別実施例による固定プレートを図示している。
【発明を実施するための形態】
【００１２】
以下の詳細説明は、添付の図面との関連において、様々な構成の説明として意図されるものであって、ここに記載の概念を実施可能な構成のみを表すことを意図されるものではない。この詳細説明は、種々の概念の完全な理解を提供するための具体的詳細を含む。但し、当業者は、これらの概念がこれらの具体的詳細無しでも実施可能であることを理解するであろう。いくつかのケースにおいて、そのような概念が不明瞭になることを回避するために、周知の構造およびコンポーネントはブロック図の形態で図示されている。
【００１３】
「例示的」という用語は、「具体例、たとえば例示として役立つ」ということを意味するために使用される。「例示的」なものとしてここに記載されるすべての実施例又は態様は、必ずしも、その他の実施例又は態様よりも好適又は有利なものと理解されてはならない。更に、「一つの」、「その他の」又は「種々の」実施例又は態様は、限定的なものと理解されてはならない。なぜなら、ここに開示される実施例の様々な態様は、その他の実施例内において置き換え可能に使用することができるからである。
【００１４】
図１Ａおよび図１Ｂを参照すると、固定プレート１００は、長手軸心１０８と、第１および第２端部１１２、１１６とをそれぞれ備える本体１０４を有する。図１Ｂは、上面１２０と底面１２４とを備える固定プレート１００の側面図である。固定プレート１００の上面１２０は骨から離間して向くように構成されているのに対して、底面１２４は骨上に載置されるように構成されている。底面１２４の一部分は、それがその上に載置される骨の輪郭にマッチするように輪郭形成することができる。例えば、図１Ｂに図示されているように、固定プレート１００は、図４に示されているように、当該プレート１００が、骨を部分的に横断することを可能にするように、前記第１端部１１２の近傍の片側において湾曲形成することができる。いくつかの実施例において、固定プレート１００は、骨上に載置されるとともに、関節の片側に位置するように、構成される。
【００１５】
次に図１Ａ、図１Ｂおよび図２を参照すると、固定プレート１００は、第１端部１１２近傍に開口部１３２を備えている。この開口部１３２は、ここでは、ロックネジ穴１３２と、称されることがある。但し、本発明の他の実施例において、前記ネジ穴１３２はロック用でなくてもよい。図２は、固定プレート１００に設けることが可能なロック固定ネジ穴１３２の拡大図を示している。当該ロック固定ネジ穴１３２は、上方皿穴１４０と、下方皿穴１４４と、これら上方皿穴１４０と下方皿穴１４４との間のネジ部１４８とを備える内面１３６によって形成可能である。中央軸心１５２がロック固定ネジ穴１３２の向きを規定している。ロック固定ネジ穴１３２は、その曲線（ｔｒａｊｅｃｔｏｒｙ）が前記中央軸心１５２によって規定されるロック固定ネジ（たとえば、図３Ａと図３Ｂに図示されている）を受けるように構成されている。本発明のいくつかの実施例において、前記中央軸心１５２は、長手軸心１０８に対して２０〜５０度の角度を有し、これによって、ネジは、最終的に、長手軸心１０８に対して２０〜５０度の角度で配置されることになる。その結果、関節を介して骨を、改良された汎用性を提供する配置で、融合することを可能にしている。引き続き図２を参照すると、ネジ部１４８は、たとえば、それらネジ山１５６および１６２が、ロックネジにロック可能に係合する時に、変形して、当該ロックネジが固定プレート１００上にロックされることを許容するように、二重螺旋状に配置された一対のネジ山１５６および１６２を備えることができる。又、このネジ山対１５６、１６２は、ロックネジが、中央軸心１５２に対して平行でない角度で貫通固定ネジ穴１３２に係合することを可能にする。いくつかの実施例において、ネジ山対１５６、１６２は、ロック貫通固定ネジがネジ穴に対して、中央軸心１５２に対して０〜１８度の角度で係合することを可能にする。当業者は、ネジ山対１５６、１６２が、中央軸心１５２に対する前記ロック貫通固定ネジの曲線（ｔｒａｊｅｃｔｏｒｙ）を０〜１８度の範囲で調節して、貫通固定ネジ設置時に外科医にフレキシビリティを提供することを可能にすることを理解するであろう。更に、貫通固定ネジ穴１３２はネジ山対１５６、１６２を備えるものとして図示されているが、貫通固定ネジ穴１３２はその任意のその他の適当なロック機構を備えることが可能であることが当業者に明らかであろう。
【００１６】
固定プレート１００は、単数又は複数の取り付けネジ穴１７０，１７４および１７８を有している。これら取り付けネジ穴１７０，１７４および１７８は、ロック式又は非ロック式とすることが可能な、取り付けネジ（図４のネジ１８２、１８６および１９０を参照）を受けるように構成されている。これら取り付けネジは、固定プレート１００をそれがその上に置かれた骨に対してしっかりと固定する。いくつかの実施例において、取り付けネジ穴が、取り付けネジにロック可能に係合するようにネジ形成されている。固定プレート１００が載置される特定の骨の長さに応じて、固定プレート１００の長さを、その一部を、たとえば、ライン１８３、１８５に沿って鋸切断、又はハサミ切断することによって、短くし、それによって取り付けネジ穴の数も減らすことができる。いくつかの実施例において、固定プレート１００の幅を、ライン１８３および１８５の領域内において減少させて、固定プレート１００をライン１７４又は１７８に沿って容易に鋸切断又はハサミ切断することを可能にすることができる。固定プレート１００は、好ましくは、ステンレス鋼、チタン又は任意の生物適合材、から形成される。プレート１００の寸法および形状は、目的に応じて変えることができる。前述したように、いくつかの実施例において、固定プレート１００は、関節の片側において骨の上に載置されるように構成される。言い換えると、固定プレート１００は、それがその関節にまたがって延出（ｓｐａｎ）しないように載置される。その結果、取り付けネジ１７、１７４、１７８が骨に挿入され、関節の片側にのみ位置する状態となる。いくつかの実施例において、前記プレートは、それが前記関節に侵入する、又は関節にまたがって延出（ｓｐａｎ）する、ように配置することが好ましいかもしれない。
【００１７】
図３Ａを参照すると、本発明の実施例による貫通固定ネジ３００が、それぞれ、第１および第２端部３０８、３１２を備える長手中空本体３０４を有するものとして図示されている。ネジ３００は、中空本体３０４を通って延出する中央又は長手軸心３１６を有している。第１端部３０８には先端部３２０が位置し、第２端部３１２にはヘッド部３２４が位置している。
【００１８】
引き続き図３Ａを参照すると、ネジ３００は、先端部３２０から始まって当該先端部３２０の近傍に延出する第１ネジ山３２８と、ヘッド部３２４近傍に配置され当該ヘッド部３２４から遠位側に延出する第２ネジ山３３２とを有する。好ましくは、第１ネジ山３２８は第２ネジ山３３２と異なるピッチを有する。例えば、第１ネジ山３２８は、第２ネジ山３３２のピッチよりも大きなピッチを有するものとすることができる。これら第１および第２ネジ山３２８および３３２は、ラグ部分（ネジ山無し部分３３６とも称される）によって互いに分離することができる。当業者は、互いに異なるピッチの第１および第２ネジ山３２８および３３２とネジ山無し部分３３６とを備えることにより、ネジ３００は、骨固定のために特に適した圧縮タイプのネジとして機能することが可能になることを理解するであろう。即ち、前記二つのネジ山について少なくとも二つの異なるピッチを備えることにより、前記ネジは、当該ネジの各回転毎に、異なる長手距離を進行しようとする。しかしこれは起こらず、むしろ、二つのネジ部分が係合している骨の部分が、骨折部における治癒を促進するための所望の結果である圧縮状態に置かれる。
【００１９】
次に図３Ｂを参照すると、前記長手中空本体３０４は、中央軸心３１６に沿った通路３４０を有する。この通路３４０は、当業者によく知られた慣習である、ガイドワイヤ（たとえばＫ−ｗｉｒｅ）をこの通路３４０に通すことによって、貫通固定ネジ３００が骨に対して正しく位置決めされることを可能にする。例えば、外科医は、まず、Ｋ−ｗｉｒｅを、所望に位置へと挿入し、次に、このＫ−ｗｉｒｅ上で貫通固定ネジ３００をスライドさせて当該貫通固定ネジ３００を正しく位置決めすることができる。
【００２０】
図３Ａに戻って、前記ヘッド部３２４は、ロックネジ山３４８を備えることができる。このロックネジ山３４８は、前記第２ネジ山３２８のピッチと異なるピッチを備えるものとすることができる。当該ロックネジ山３４８は、第２ネジ山３２８と連続したものとして形成してもよいし、あるいは、当該第２ネジ山３２８から分離したものとすることも可能である。ロックネジ山３４８は、図２を参照して記載したように貫通固定ネジ穴１３２上に配設された一対のネジ山１５６および１６２と係合するように構成されている。従って、ロックネジ山３４８は、ネジ山１５６および１６２との係合時に、変形して、それによって、固定プレート１００にロック可能に係合するように構成されることになる。本発明の実施例に依れば、ロックネジ山３４８およびネジ山１５６／１６２は、これらの一方が他方よりも軟質で、より軟質なネジ山が変形することによってネジ３００のプレート１００に対するロックをより確実なものとするように、互いに異なる材料から形成される。例えば、ネジ３００のネジ山３４８は、チタン合金から形成し、他方、ネジ山１５６／１６２は、市販の純粋なチタン等のより軟質の材料から形成される。
【００２１】
引き続き図３Ａを参照すると、貫通固定ネジ３００は、第１切断溝１７０を形成するための前記先端部近傍の第１凹部領域と、第２切断溝１７４を形成するための前記ヘッド部近傍の第２凹部領域とを備えている。これら切断溝１７０および１７４は、骨を通って切られてネジ300がこの骨に食い込んで係合を開始することを許容する。
【００２２】
図４を参照すると、固定プレート１００と貫通固定ネジ３００が、第１および第２骨４０４および４０８を、それぞれ、関節４１２を介して固定又は取り付けるべく移植後の状態で図示されている。図示されているように、前記第１および第２骨４０４および４０８は、ＰＩＰ関節４１２を介した、ヒトの指である。図４はＰＩＰ関節を介した第１および第２骨の取り付けのための本発明の実施例を例示しているが、当業者は、本発明を、ヒトの体内の他の関節を介して骨を取り付けるために使用可能であることを理解するであろう。
【００２３】
引き続き図４を参照すると、骨４０４のセクショニング（ｓｅｃｔｉｏｎｉｎｇ）後、この第１骨４０４の上で、関節４１２の片側に、固定プレート１００が載置される。当業者は、本発明の実施例を固定プレート１００が関節４１２を介して延出することを可能にするように構成することが可能であることを理解するであろう。
【００２４】
Ｋ−ｗｉｒｅのドリリング又はプレースメント、あるいは、その他周知のガイド技法後、貫通固定ネジ３００が、ネジ穴１３２を通して挿入され、前記第１骨４０４を通って、前記ＰＩＰ関節を介して第２骨４０８内へと回転される。ネジ３００の設置の完了に近づくと、ネジ山３２８が骨４０８に係合し、ネジ山３３２が骨４０４に係合する。従って、当業者は、第１および第２ネジ山３２８および３３２それぞれのピッチが互いに異なることにより、貫通固定ネジ３００が圧縮式ネジとして作用して、第１および第２骨を関節４１２を介して確実に取り付け又は固定することを理解するであろう。外科医がネジ３００を穴１３２内においてその回転の最後の部分で締め付けると、ロックネジ山３４８がネジ山１５６／１６２に係合し、これらの一方を他方に対して変形させ、ネジ３００をプレート１００に対して定位置にロックし、第１骨４０４をＰＩＰ関節４１２を介して第２骨４０８に対して貫通固定する。
【００２５】
前述したように、貫通固定ネジ３００の曲線（ｔｒａｊｅｃｔｏｒｙ）は、プレート１００の製造中に、長手軸心１０８に対する中央軸心１５２の２０〜５０度の角度配向によってあらかじめ決められる。更に、上述したように、本発明は、外科医に対して、ネジ３００の配向を、中央軸心１５２全体の回りで、ネジ３００と中央軸心１５２との間の０〜１８度の角度で、調節するというフレキシビリティを提供する。従って、図１Ｂおよび図４の図面に対して平行な平面内において、貫通固定ネジ３００の配向を、長手軸心１０８に対する中央軸心の角度配向を超えて最大１８度まで変化させることができる。その結果、本発明は、第２骨４０８を第１骨４０４に対して広い角度範囲で、選択的に位置決めすることを可能にする。
【００２６】
引き続き図４を参照すると、固定プレート１００は、複数の取り付けネジ１８２、１８６および１９０によって第１骨４０４に固定されている。前述したように、指の長さに応じて、固定プレート１００の長さを、その一部を鋸切断又はハサミ切断することによって短くすることができ、それによって取り付けネジの数も減少する。
【００２７】
次に図５を参照すると、別実施例の固定プレート５００が図示され、これは、長手軸心５１６周りで、本体５０４と、ヘッド部５０８と、遠端部５１２とを有する。図５は、固定プレート５００の上面５２０を図示し、この面は骨から離間するように向けられるものであり、これに対して、底面は骨の上に載置されるものである。いくつかの実施例において、固定プレート５００は、骨の上で、かつ、完全に関節の片側に位置するように構成される。
【００２８】
引き続き図５を参照すると、固定プレート５００は、図２のロックネジ穴３２に関して前述したものに類似のロックネジ穴５３２を備えている。但し、本発明の他の実施例において、ネジ穴５３２はロック式でなくてもよい。
【００２９】
固定プレート５００は、軸心５３６および５４０に沿って二列に配置された複数の取り付けネジ穴５２４Ａ〜５２４Ｆを有する。取り付けネジ穴５２４Ｃと５２４Ｄとはブリッジ５４４を介して相互接続され、取り付けネジ穴５２４Ｅと５２４Ｆとはブリッジ５４８を介して相互接続されている。第１および第２グループの取り付けネジ穴を二列に配置し、かつ、これらネジ穴対を各ブリッジを介して相互接続することによって、グリッド構成が形成される。固定プレート５００がその上に載置される骨のサイズに応じて、前記固定プレート５００の長さを、たとえば、そのライン５５２に沿って鋸切断又はハサミ切断することによって短くすることができる。その結果、その上に固定プレート５００が載置される骨のサイズに応じて、取り付けネジ穴の数を減らすことができる。取り付けネジ穴５２４Ａ〜５２４Ｅは、ロック式であっても非ロック式であってもよい。プレート５００は、より多くの取り付けネジ穴とより多くの列を備えるものとして、それによって、本発明の教示に基づいて、プレート５００のグリッドのサイズを増大させることも可能である。
【００３０】
ロックネジ穴５３２は、図２に図示のロックネジ穴１３２に関して上述したような二重螺旋構成に配置された一対のネジ山からなるロック機構、あるいは、任意のその他適当なロック機構、を備えることができる。ロックネジ穴５３２は、図３Ａおよび図３Ｂに図示のネジ３００等の貫通固定ネジにロック可能に係合するように構成されている。従って、取り付けネジ穴５２４Ａ〜５２４Ｅは、固定プレート５００を関節の片側において第１骨にしっかりと固定するための各取り付けネジを受け入れ、他方、ロックネジ穴５３２は、前記第１骨を通して関節を介して第２骨内へと延出する図３Ａおよび図３Ｂに図示のネジ３００に類似の貫通固定ネジを、受け入れ、それによってこの第２骨を前記第１骨に固定する。
【００３１】
ここに開示した実施例の上の説明は、当業者が本発明を製造又は使用することを可能にするために提供されるのである。これらの実施例に対する様々な改変は、当業者にとって容易に理解されるであろう、そして、ここに定義された一般的原理は、本発明の要旨又は範囲から逸脱することなく他の実施例に対しても適用可能である。従って、本発明は、ここに示した実施例に限定されるものではなく、ここに開示した原理および新規な特徴構成と矛盾することなく、その最も広い範囲を有するものである。
【図１Ａ】
2015503944.tif 000003
【図１Ｂ】
2015503944.tif 000004
【図２】
2015503944.tif 000005
【図３Ａ】
2015503944.tif 000006
【図３Ｂ】
2015503944.tif 000007
【図４】
2015503944.tif 000008
【図５】
2015503944.tif 000009
【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
長手軸心と第１および第２端部とを備える本体を有する固定プレートであって、当該本体は、骨の上に載置されかつ関節の片側に完全に位置するように構成され、当該本体は、前記第１端部の近傍に配設されたロックネジ穴を備え、前記ロックネジ穴を通る中央軸心が前記長手軸心に対して２０〜５０度の角度で配向され、前記本体は少なくとも１つの取り付けネジ穴を備える、固定プレート。
【請求項２】
更に、前記取り付けネジ穴にロック可能に係合するべく当該取り付けネジ穴を通って挿入されるように構成されたロック取り付けネジを有する、請求項１に記載の固定プレート。
【請求項３】
前記ロックネジ穴の内面は、上方皿穴とネジ部とを有し、前記ネジ部は二重螺旋ネジ山を有する、請求項１に記載の固定プレート。
【請求項４】
前記ネジ部はネジにロック可能に係合するように構成されている、請求項３に記載の固定プレート。
【請求項５】
前記ネジ部はネジにロック可能に係合する時に変形するように構成されている、請求項３に記載の固定プレート。
【請求項６】
前記本体は、上側と下側とを有し、前記下側の一部分は骨の断面部分の内に載置されるように構成されている、請求項１に記載の固定プレート。
【請求項７】
第１および第２端部に開口部を有するとともに、前記第１端部に先端部を有し、前記第２端部にヘッド部を有する長手中空本体と、
前記先端部から当該先端部の近傍に延出し、第１ピッチを有する第１ネジ山と、
前記ヘッド部の近傍に配設されるとともに、前記第１ピッチと異なる第２ピッチを有する第２ネジ山と、
前記ヘッド部上に配設されるとともに第３ピッチを有するロックネジ山と
を含む、ネジ。
【請求項８】
前記長手中空本体は、前記第１ネジ山と前記第２ネジ山との間の平滑なシャンク部を有する、請求項７に記載のネジ。
【請求項９】
前記ロックネジ山と前記第２ネジ山とは分離されている、請求項７に記載のネジ。
【請求項１０】
前記ロックネジ山と前記第２ネジ山とは接続されている、請求項７に記載のネジ。
【請求項１１】
更に、前記先端部の近傍で切断溝を形成する凹部領域を有する、請求項７に記載のネジ。
【請求項１２】
更に、前記ヘッド部の近傍で切断溝を形成する凹部領域を有する、請求項７に記載のネジ。
【請求項１３】
前記ネジは、第１骨から関節を介して第２骨内へと延出して、前記第２骨を前記第１骨に対して２０〜５０度の角度で固定するように構成されている、請求項７に記載のネジ。
【請求項１４】
関節を介して第１骨と第２骨とを固定するためのシステムであって、前記システムは、
本体を備える固定プレートであって、当該本体は長手軸心と第１および第２端部とを備え、前記本体は骨の上に載置されかつ関節の片側に位置するように構成されており、前記本体は前記第１端部の近傍に配設されたロックネジ穴を有し、当該ロックネジ穴を通る中央軸心は前記長手軸心に対して２０〜５０度の角度で配向され、前記本体は少なくとも１つの取り付けネジ穴を有する固定プレートと、
長手中空本体を有するネジであって、前記本体は、第１および第２端部に開口部を有するとともに、前記第１端部に先端部を有し、前記第２端部にヘッド部を有する、前記本体は前記関節を介して前記第１骨を通って前記第２骨内へと延出するように構成され、前記ヘッド部は前記ロックネジ穴に当接するように構成されているネジと
を含み、
前記ネジは、
前記先端部から当該先端部の近位側に延出し、第１ピッチを有第１ネジ山と、
前記ヘッド部の近傍に配設されるとともに当該ヘッド部から遠位側に延出するとともに前記第１ピッチと異なる第２ピッチを有する第２ネジ山と、
前記ヘッド部上に配設されるとともに第３ピッチを有し、前記ロックネジ穴に係合するように構成されているロックネジ山と
を有する、システム。
【国際調査報告】
2015503944.tif 000010
2015503944.tif 000011
2015503944.tif 000012
2015503944.tif 000013